(57)【要約】      （修正有）【課題】発光が均一で外観が良好であり、音質が良い隠匿式スピーカーを備えた音響ダウンライトを提供する。【解決手段】隠匿式スピーカーを備えた音響ダウンライトは、ランプ装置及び音響装置２０を備える。音響装置は、天井板又は壁の装着孔内に取り付けられる。ランプ装置は、頂板１３、光源部材１７、１８及びランプカバー部材１４、１６を有する。光源部材は、頂板の底面上に取り付けられる。ランプカバー部材は、頂板の底面上に取り付けられ、光源部材が頂板上を覆う。頂板の中央部には、貫通孔が形成される。貫通孔の内側面には、複数の係合ブロックが設けられる。音響装置の底部には、装着部が設けられる。装着部の外表面上には、複数の装着溝が形成される。装着溝は、Ｌ字状を呈し、豎直方向に設けた係入部と、横向きに延びた導入部とを有する。係合部材は、対応した装着溝の係入部内に取り付けられるとともに、旋回されて導入部内に係合される。【選択図】図３
0003226629.tif 000002
【実用新案登録請求の範囲】
【請求項１】
ランプ装置及び音響装置を備えると共に、遮蔽式スピーカーを備えた音響ダウンライトであって、
前記音響装置は、天井板又は壁の装着孔内に取り付けられ、
前記ランプ装置は、頂板、光源部材及びランプカバー部材を有し、前記光源部材は、前記頂板の底面上に取り付けられ、ランプカバーアセンブリは、前記頂板の底面上に取り付けられ、光源アセンブリが前記頂板上を覆い、ランプ板の中央部には、貫通孔が形成され、前記貫通孔の内側面には、複数の係合ブロックが設けられ、
前記音響装置の底部には、装着部が設けられ、前記装着部の外表面上には、複数の装着溝が形成され、前記装着溝は、Ｌ字状を呈し、豎直方向に設けた係入部と、横向きに延びた導入部と、を有し、係合部材は、対応した前記装着溝の前記係入部内に取り付けられるとともに、旋回されて前記導入部内に係合されることを特徴とする遮蔽式スピーカーを備えた音響ダウンライト。
【請求項２】
前記係合ブロックの底面上には、突起部が設けられ、
前記導入部の下端面上には、嵌合溝が形成され、
前記突起部は、対応した前記嵌合溝内に係合されることを特徴とする請求項１に記載の遮蔽式スピーカーを備えた音響ダウンライト。
【請求項３】
前記導入部の下端面は、前記係入部から端部にかけて徐々に高くなるように設けられ、
前記嵌合溝は、前記係入部の末端に形成され、前記係合ブロックが前記導入部の末端まで旋回されると、前記突起部が前記嵌合溝内に係入されることを特徴とする請求項２に記載の遮蔽式スピーカーを備えた音響ダウンライト。
【請求項４】
ランプカバー群は、外ランプカバー及び内ランプカバーを含み、
光源装置は、外光源装置と、内側に配設した内光源装置と、を含み、
前記外ランプカバーは、前記外光源装置の外側を覆い、
前記内ランプカバーは、前記内光源装置の外側を覆うことを特徴とする請求項１に記載の遮蔽式スピーカーを備えた音響ダウンライト。
【請求項５】
ランプホルダをさらに備え、
前記ランプホルダは、前記外ランプカバー内側の頂板上に取り付けられるとともに、前記貫通孔に対応して配設され、
前記内光源装置は、前記ランプホルダの底面上に取り付けられることを特徴とする請求項４に記載の遮蔽式スピーカーを備えた音響ダウンライト。
【請求項６】
前記ランプホルダの頂部には、導音面が設けられ、  
前記導音面は、周囲から中央部に向かうに従って高くなり、徐々に縮小した尖端を有し、
前記音響装置の底部には、出音スピーカーが設けられ、
前記出音スピーカーは、前記導音面に対応して設けられることを特徴とする請求項５に記載の遮蔽式スピーカーを備えた音響ダウンライト。
【請求項７】
前記内ランプカバーの側辺には、複数の位置決め孔が形成され、
前記ランプホルダの対応した位置には、位置決めブロックが設けられ、前記位置決めブロックは、対応した前記位置決め孔内に係合されることを特徴とする請求項５に記載の遮蔽式スピーカーを備えた音響ダウンライト。
【請求項８】
前記ランプは、２つの弾性装着部材を有し、
前記弾性装着部材は、前記頂板の頂面にそれぞれ取り付けられるとともに、対称に設けられることを特徴とする請求項１に記載の遮蔽式スピーカーを備えた音響ダウンライト。
【請求項９】
接線ケースをさらに備え、
前記接線ケースは、前記音響装置の内側に取り付けられるとともに、導線を介して前記音響装置及び前記ランプと電気的に接続されることを特徴とする請求項１に記載の遮蔽式スピーカーを備えた音響ダウンライト。
【考案の詳細な説明】
【技術分野】
【０００１】
本考案は、照明装置に関するものであり、さらに詳しくは、遮蔽式スピーカーを備えた音響ダウンライトに関するものである。
【背景技術】
【０００２】
埋設式ライトは従来からよく見かける照明装置であり、近年、環境の快適性に対する人々の要求が高まるに従い、照明機能しか有しない従来の埋設式ライトでは人々の要求を十分満たすことはできなかった。従来から市販されているものとして、スピーカーを備えた埋設式ライトは提供されていたが、かかるスピーカーを備えた埋設式ライトは、照明機能だけでなく、電子式音声を変換する機能も備えてはいる。
【０００３】
しかし、従来のスピーカーを備えた埋設式ライトは、ライトの内部空間が小さい上、ライトの光源が中央に設けられ、スピーカーの出音口がライトの外表面に形成されていたため、スピーカーは、小さなサイズのものにならざるを得ず、しかも、スピーカーは、少数しか使用できない上、スピーカーは、ランプ体のハウジングの縁部にしか装着できないという問題があった。さらに、かかるスピーカーは、ランプ体の片側からしか音を発することができず、しかも低音域の音質が理想的でなく、人々のニーズを十分満たすことができなかった。かかる状況下において、全音域を良好な音質で聞かせて人々を満足させることはさらに困難であった。
【０００４】
また、従来の音響ライトのスピーカーのネット又は大型のスピーカーの孔部がライトのハウジングから露出されていたため、ライトが点灯すると、スピーカーの位置が影になり、ライトの発光が不均一となる上、ライトの外観も良くないという難点が指摘されてきた。
【考案の概要】
【考案が解決しようとする課題】
【０００５】
従って、本考案の課題は、音響ダウンライトの発光が不均一で、外観が良くなく、音質が悪かったという従来の問題点を改善することが可能な音響ダウンライトを提供することにある。
【課題を解決するための手段】
【０００６】
そこで、本考案者は、前記の課題を解決するために鋭意検討を重ねた結果、後述の如く、ランプ装置および音響装置を備えると共に、遮蔽式スピーカーを備えることにより前記課題を解決できることに着目し、かかる知見に基いて本考案に想到するに至った。
すなわち、上記課題を解決するために、本考案の第１の形態によれば、ランプ装置及び音響装置を備えると共に、遮蔽式スピーカーを備えた音響ダウンライトであって、前記音響装置は、天井板又は壁の装着孔内に取り付けられ、前記ランプは、頂板、光源部材及びランプカバー部材を有し、前記光源部材は、前記頂板の底面上に取り付けられ、ランプカバーアセンブリは、前記頂板の底面上に取り付けられ、光源アセンブリが前記頂板上で覆われ、ランプ板の中央部には、貫通孔が形成され、前記貫通孔の内側面には、複数の係合ブロックが設けられ、
前記音響装置の底部には、装着部が設けられ、前記装着部の外表面上には、複数の装着溝が形成され、前記装着溝は、Ｌ字状を呈し、豎直方向に設けた係入部と、横向きに延びた導入部と、を有し、係合部材は、対応した前記装着溝の前記係入部内に取り付けられるとともに、旋回されて前記導入部内に係合されることを特徴とする、遮蔽式スピーカーを備えた音響ダウンライトが提供される。
【０００７】
前記係合ブロックの底面上には、突起部が設けられ、前記導入部の下端面上には、嵌合溝が形成され、前記突起部は、対応した前記嵌合溝内に係合されることが好ましい。
【０００８】
前記導入部の下端面は、前記係入部から端部にかけて徐々に高くなるように設けられ、前記嵌合溝は、前記係入部の末端に形成され、前記係合ブロックが前記導入部の末端まで旋回されると、前記突起部が前記嵌合溝内に係入されることが好ましい。
【０００９】
ランプカバー群は、外ランプカバー及び内ランプカバーを含み、光源装置は、外光源装置と、内側に配設した内光源装置と、を含み、前記外ランプカバーは、前記外光源装置の外側を覆い、前記内ランプカバーは、前記内光源装置の外側を覆うことが好ましい。
【００１０】
ランプホルダをさらに備え、前記ランプホルダは、前記外ランプカバー内側の頂板上に取り付けられるとともに、前記貫通孔に対応して配設され、前記内光源装置は、前記ランプホルダの底面上に取り付けられることが好ましい。
【００１１】
前記ランプホルダの頂部には、導音面が設けられ、前記導音面は、周囲から中央部に向かうに従って高くなり、徐々に縮小した尖端を有し、前記音響装置の底部には、出音スピーカーが設けられ、前記出音スピーカーは、前記導音面に対応して設けられることが好ましい。
【００１２】
前記内ランプカバーの側辺には、複数の位置決め孔が形成され、前記ランプホルダの対応した位置には、位置決めブロックが設けられ、前記位置決めブロックは、対応した前記位置決め孔内に係合されることが好ましい。
【００１３】
前記ランプは、２つの弾性装着部材を有し、前記弾性装着部材は、前記頂板の頂面にそれぞれ取り付けられるとともに、対称に設けられることが好ましい。
【００１４】
接線ケースをさらに備え、前記接線ケースは、前記音響装置の内側に取り付けられるとともに、導線を介して前記音響装置及び前記ランプと電気的に接続されることが好ましい。
【００１５】
かくして、本考案の要旨は、次の（１）〜（９）に記載の通りのものである。
【００１６】
（１）ランプ装置及び音響装置を備えると共に、遮蔽式スピーカーを備えた音響ダウンライトであって、
前記音響装置は、天井板又は壁の装着孔内に取り付けられ、
前記ランプ装置は、頂板、光源部材及びランプカバー部材を有し、前記光源部材は、前記頂板の底面上に取り付けられ、ランプカバーアセンブリは、前記頂板の底面上に取り付けられ、光源アセンブリが前記頂板上を覆い、ランプ板の中央部には、貫通孔が形成され、前記貫通孔の内側面には、複数の係合ブロックが設けられ、
前記音響装置の底部には、装着部が設けられ、前記装着部の外表面上には、複数の装着溝が形成され、前記装着溝は、Ｌ字状を呈し、豎直方向に設けた係入部と、横向きに延びた導入部と、を有し、係合部材は、対応した前記装着溝の前記係入部内に取り付けられるとともに、旋回されて前記導入部内に係合されることを特徴とする遮蔽式スピーカーを備えた音響ダウンライト。
【００１７】
（２）前記係合ブロックの底面上には、突起部が設けられ、
前記導入部の下端面上には、嵌合溝が形成され、
前記突起部は、対応した前記嵌合溝内に係合されることを特徴とする前記（１）に記載の遮蔽式スピーカーを備えた音響ダウンライト。
【００１８】
（３）前記導入部の下端面は、前記係入部から端部にかけて徐々に高くなるように設けられ、
前記嵌合溝は、前記係入部の末端に形成され、前記係合ブロックが前記導入部の末端まで旋回されると、前記突起部が前記嵌合溝内に係入されることを特徴とする前記（２）に記載の遮蔽式スピーカーを備えた音響ダウンライト。
【００１９】
（４）ランプカバー群は、外ランプカバー及び内ランプカバーを含み、
光源装置は、外光源装置と、内側に配設した内光源装置と、を含み、
前記外ランプカバーは、前記外光源装置の外側を覆い、
前記内ランプカバーは、前記内光源装置の外側を覆うことを特徴とする前記（１）に記載の遮蔽式スピーカーを備えた音響ダウンライト。
【００２０】
（５）ランプホルダをさらに備え、
前記ランプホルダは、前記外ランプカバー内側の頂板上に取り付けられるとともに、前記貫通孔に対応して配設され、
前記内光源装置は、前記ランプホルダの底面上に取り付けられることを特徴とする前記（４）に記載の遮蔽式スピーカーを備えた音響ダウンライト。
【００２１】
（６）前記ランプホルダの頂部には、導音面が設けられ、  
前記導音面は、周囲から中央部に向かうに従って高くなり、徐々に縮小した尖端を有し、
前記音響装置の底部には、出音スピーカーが設けられ、
前記出音スピーカーは、前記導音面に対応して設けられることを特徴とする前記（５）に記載の遮蔽式スピーカーを備えた音響ダウンライト。
【００２２】
（７）前記内ランプカバーの側辺には、複数の位置決め孔が形成され、
前記ランプホルダの対応した位置には、位置決めブロックが設けられ、前記位置決めブロックは、対応した前記位置決め孔内に係合されることを特徴とする前記（５）に記載の遮蔽式スピーカーを備えた音響ダウンライト。
【００２３】
（８）前記ランプは、２つの弾性装着部材を有し、
前記弾性装着部材は、前記頂板の頂面にそれぞれ取り付けられるとともに、対称に設けられることを特徴とする前記（１）に記載の遮蔽式スピーカーを備えた音響ダウンライト。
【００２４】
（９）接線ケースをさらに備え、
前記接線ケースは、前記音響装置の内側に取り付けられるとともに、導線を介して前記音響装置及び前記ランプと電気的に接続されることを特徴とする前記（１）に記載の遮蔽式スピーカーを備えた音響ダウンライト。
【００２５】
本考案に係る遮蔽式スピーカーを備えた音響ダウンライトの「遮蔽式スピーカー」は、音響装置がライトの内側に遮蔽状態に設置された構成のものであることを意味するものである。
【考案の効果】
【００２６】
本考案の遮蔽式スピーカーを備えた音響ダウンライトは、音響装置がライト装置の内側に遮蔽状態で設置されているため、ライトの外観に悪影響を与えない上、音響装置がライト内に設置されていないため、ライトのサイズが音響装置のサイズ及び数に与える影響が小さい。また、上述した音響装置は、良好な音質を確保するために、必要に応じたサイズ及び数で設置してもよい。また、音響装置は、ライトの内側に設置されているため、ライトの発光効果に悪影響を与えない。そのため、本考案は実用的価値が高く、普及させる価値がある。
【図面の簡単な説明】
【００２７】
【図１】本考案の一実施形態に係る遮蔽式スピーカーを備えた音響ダウンライトを示す斜視図である。
【図２】図１の遮蔽式スピーカーを備えた音響ダウンライトを示す分解斜視図である。
【図３】図１の遮蔽式スピーカーを備えた音響ダウンライトを示す断面図である。
【図４】図３の遮蔽式スピーカーを備えた音響ダウンライトのランプ体を示す分解斜視図である。
【図５】図４の遮蔽式スピーカーを備えた音響ダウンライトの頂板及び音響装置の装着構造を示す説明図である。
【図６】図１の遮蔽式スピーカーを備えた音響ダウンライトの音響装置を示す斜視図である。
【考案を実施するための形態】
【００２８】
本考案の技術手段及びそれにより達成可能な効果を、より完全かつ明白に開示するために、開示した添付の図面及び符号と併せて本考案を以下に詳説する。もっとも、本考案は、かかる図面により限定されるものではない。
【００２９】
図１〜図６を参照する。図１〜図６に示すように、本考案の一実施形態に係る遮蔽式スピーカーを備えた音響ダウンライトは、少なくともランプ装置１０、音響装置２０及び接線ケース３０から構成されてなる。上述した接線ケース３０は、天井板又は壁の装着孔内に取り付けられる。上述した音響装置２０は、接線ケース３０上に取り付けられる。上述したランプ装置１０は、音響装置２０の外側の装着孔内に取り付けられ、音響装置２０に係合される。
【００３０】
上述したランプ装置１０は、ランプ体１１と、ランプ体１１の頂部に取り付けられた２つの弾性装着部材１２と、を含む。２つの弾性装着部材１２は、対称に設けられる。上述したランプ体１１は、頂板１３、外ランプカバー１４、ランプホルダ１５、内ランプカバー１６、外光源装置１７及び内光源装置１８を含む。上述した外ランプカバー１４は、頂板１３の底面上に取り付けられるとともに、頂板１３とともに取り囲んでリング状の収容空間が形成される。上述した外光源装置１７は、リング状の収容空間の頂板１３の底面上に取り付けられる。上述した頂板１３及び外ランプカバー１４は、リング状に設けられる。頂板１３内には、貫通孔１３１が形成される。上述したランプホルダ１５は、外ランプカバー１４の内側の頂板１３上に取り付けられるとともに、上述した貫通孔１３１に対応して配設される。上述した内ランプカバー１６は、ランプホルダ１５の底面上を閉じるとともに、ランプホルダ１５とともに取り囲んで収容空間が形成される。上述した内光源装置１８は、収容空間内に取り付けられる。また、上述した頂板１３、外ランプカバー１４の内側辺及びランプホルダ１５は、上方向から下方向にかけて順次ねじにより螺設される。
【００３１】
上述したランプホルダ１５の頂部には、導音面１５１が設けられる。上述した導音面１５１は、周囲から中央部に向かうに従って高くなり、徐々に縮小した尖端を有する。上述した音響装置２０の底部には、出音スピーカーが設けられる。上述した出音スピーカーは、尖端に対応して設置されているため、容易に音響の音声を拡散させることができる。上述した内ランプカバー１６の側辺には、複数の位置決め孔１６１が形成されている。上述したランプホルダ１５の対応した位置には、位置決めブロック１５２が設置されている。上述した位置決めブロック１５２は、対応した位置決め孔１６１内に係合されるため、内ランプカバー１６がランプホルダ１５上に固着される。上述した頂板１３の貫通孔１３１の内側面には、複数の係合片１４２が設けられる。上述した係合片１４２の底面上には、円弧状突起部１４３が設けられる。上述した音響装置２０の底部には、装着部２１が設けられる。上述した装着部２１の外表面上には、複数の装着溝２２が形成される。上述した装着溝２２は、Ｌ字状を呈し、豎直方向に設けた係入部２２１と、横向きに延びた導入部２２２と、を含む。上述した導入部２２２の下端面は、係入部２２１から端部にかけて徐々に高くなるように設けられる。導入部２２２の下端面には、嵌合溝２２３が形成される。
【００３２】
実際に組み立てるときは、ランプ体１１の係合片１４２を係入部２２１の係合口に対応させて上方に係入させてから、導入部２２２に向かって端部まで旋回させる。その後、ランプ体１１を緩めると、重力の作用により上述した円弧状突起部１４３が上述した嵌合溝２２３内に下向きに係入される。ランプ体１１と音響装置２０とを分離させるときは、ランプ体１１を上方へ押動し、円弧状突起部１４３を嵌合溝２２３から外れるように移動させてから、係入部２２１に向かって旋回させて係合片１４２を装着溝２２から外す。
【００３３】
上述したことから分かるように、本考案の遮蔽式スピーカーを備えた音響ダウンライトは、音響装置がライトの内側に遮蔽状態で設置されているため、ライトの外観に悪影響を与えない上、音響装置がライト内に設置されていないため、ライトのサイズが音響装置のサイズ及び数に与える影響が小さい。また、上述した音響装置は、良好な音質を確保するために、必要に応じたサイズ及び数で設置してもよい。また、音響装置は、ライトの内側に設置されているため、ライトの発光効果に悪影響を与えない。そのため、本考案は実用的価値が高く、普及させる価値がある。
【００３４】
当該分野の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３５】
１０  ランプ装置
１１  ランプ体
１２  弾性装着部材
１３  頂板
１４  外ランプカバー
１５  ランプホルダ
１６  内ランプカバー
１７  外光源装置
１８  内光源装置
２０  音響装置
２１  装着部
２２  装着溝
３０  接線ケース
１３１  貫通孔
１４２  係合片
１４３  円弧状突起部
１５１  導音面
１５２  位置決めブロック
１６１  位置決め孔
２２１  係入部
２２２  導入部
２２３  嵌合溝
【図１】
0003226629.tif 000003
【図２】
0003226629.tif 000004
【図３】
0003226629.tif 000005
【図４】
0003226629.tif 000006
【図５】
0003226629.tif 000007
【図６】
0003226629.tif 000008